(57)【要約】
【課題】　簡単には解錠できないことや施錠した扉を手では開けられにくくするこにより侵入による危険性を防ぐこと、盗難等を防ぐことである。
【解決手段】　本体１に、両端部が雄ねじ３の回転鉄心棒２を、設け、この回転鉄心棒２の１端部の雄ねじに、正逆回転自在のモーター４の回転軸と連結した回転歯車５を、噛み合わせて設けて、このモーター４と半導体集積回路６とを接続するとともにこの半導体集積回路６と信号発生スイッチ７，８とを接続した電子錠装置１０である。
【選択図】　図２
0003100089.tif 000002
【実用新案登録請求の範囲】
【請求項１】
　電子錠装置の本体に、両端部が雄ねじの回転鉄心棒を、設け、該回転鉄心棒の１端部の雄ねじに、正逆回転自在のモーターの回転軸と連結した回転歯車を、噛み合わせて設けて、該モーターと半導体集積回路とを接続するとともに該半導体集積回路と信号発生スイッチとを接続したことを特徴とする電子錠装置。
【請求項２】
　電子錠装置の本体に、鉄心棒とコイルとからなる電磁ソレノイドを、設けるとともに該鉄心棒の先端部に雄ねじを設け、該電磁ソレノイドと半導体集積回路とを接続するとともに該半導体集積回路と信号発生スイッチとを接続したことを特徴とする電子錠装置。
【考案の詳細な説明】
【請考案の詳細な説明】
【技術分野】
【０００１】　この考案は、扉を施錠，解錠する電子錠装置に係るものである。
【背景技術】
【０００２】　従来の錠は、機械構造の錠を鍵で施錠及び解錠を行うものが一般に使用されている。
【考案が解決しようとする課題】
【０００３】　この従来の機械構造の錠では、錠の周辺部の扉を破壊して機械構造の錠の施錠体を９０度回転したりなどして簡単に解錠した後に、解錠した扉を開けて家や部屋などに侵入者が侵入するおそれがあるので、非常に危険であるいう問題点があったし、盗難等の問題が発生するおそれがあるいう問題点があった。
【０００４】　この考案は従来の機械構造の錠が有するこれらの問題点を解消し、錠の周辺部の扉を破壊しても簡単には解錠できないことや施錠した扉を手では開けられにくくするこにより侵入による危険性を防ぐこと、そして盗難等を防ぐことなどを目的としたものである。
【課題を解決するための手段】
【０００５】　この考案の電子錠装置は、１例として本体に、両端部が雄ねじの回転鉄心棒を、設け、この回転鉄心棒の１端部の雄ねじに、正逆回転自在のモーターの回転軸と連結した回転歯車を、噛み合わせて設けて、このモーターと半導体集積回路とを接続するとともにこの半導体集積回路と信号発生スイッチとを接続したものである。
【０００６】　この考案の電子錠装置は、本体に、両端部が雄ねじの回転鉄心棒を、設け、この回転鉄心棒の１端部の雄ねじに、正逆回転自在のモーターの回転軸と連結した回転歯車を、噛み合わせて設けて、このモーターと半導体集積回路とを接続するとともにこの半導体集積回路と信号発生スイッチとを接続したなどの構成にしたものでから、使用の時には扉などに取付けた電子錠装置の回転鉄心棒は、この信号発生スイッチにより半導体集積回路に予め設定した信号が入力されると、半導体集積回路内で情報処理されるために電子錠に開錠信号が送られてモーターが正回転又は逆回転するのにともなって回転鉄心棒端部の雄ねじが扉枠又は相手側の扉などに予め設けてあるねじ穴から引出されたり、挿入されたりして電子錠が解錠、施錠される。
【考案を実施するための最良の形態】
【実施例】
【０００７】　１例として図１から図３に図示したように、電子錠装置の本体１に回転鉄心棒２を水平方向に設け、この回転鉄心棒２は両端部には同じ方向の雄ねじ３１，雄ねじ３２を設ける。
　この水平方向の回転鉄心棒２は１端部の雄ねじ３１に、垂直方向で正逆回転自在のモーター４の回転軸４′と連結した回転歯車５を、噛み合わせて設け、このモーター４と半導体集積回路６とを接続し、この半導体集積回路６と２個の信号発生スイッチ７，８とを接続して更に乾電池９と半導体集積回路６，信号発生スイッチ７，８などとを接続した電子錠装置１０である。【０００８】　この１例の電子錠装置１０を実際に使用する時は、図４などに図示したように、電子錠装置の回転鉄心棒２がアルミサッシなどの扉１１に設けてある回転鉄心棒の通し穴１２に貫通するように電子錠装置１０をアルミサッシなどの扉１１にねじ（図示せず）で４個のねじ穴１３を用いて取付け、信号発生スイッチ７，８に予め設定してある複数の信号、例えば信号発生スイッチ７を２回押し、信号発生スイッチ８を２回押して更に信号発生スイッチ７を１回押し、信号発生スイッチ８を２回押すという施錠信号を半導体集積回路６に送ることにより半導体集積回路６はモーター４を正回転させ、このモーター４の回転歯車５の正回転にともなって回転鉄心棒２は１端部の雄ねじ３１により正回転する。この回転鉄心棒２の正回転により回転鉄心棒２の他端部の雄ねじ３２は扉枠１４に設けた回転鉄心棒用ねじ穴１５に前進・挿入して施錠する。【０００９】　この１例の電子錠装置１０を解錠する時は、図１に図示の信号発生スイッチ７と信号発生スイッチ８により予め設定してある複数の信号、例えば信号発生スイッチ７を２回押し、信号発生スイッチ８を２回押して更に信号発生スイッチ７を１回押し、信号発生スイッチ８を２回押すという解錠信号を半導体集積回路６に送ることにより半導体集積回路６はモーター４を逆回転させ、モーター４の逆回転によりモーター４の回転軸４′と連結した回転歯車５が逆回転し、回転歯車５の逆回転にともなって回転歯車５と噛み合せた１端部の雄ねじ３１により回転鉄心棒２が逆回転して図４から図５の状態、即ち回転鉄心棒２の他端部の雄ねじ３２は扉枠１４のねじ穴１５から外れた状態に移動し、電子錠装置１０は解錠する。【００１０】　この１例の電子錠装置１０を解錠した後に再び施錠する時は、前記と同様の操作を繰り返すことにより前記とは逆に半導体集積回路６などはモーター４を正回転させることにより回転鉄心棒２は正回転して図５から図４の状態、即ち回転鉄心棒２の他端部の雄ねじ３２は扉枠１４のねじ穴１５に挿入され、ねじ止め状態に移動し、電子錠装置１０は施錠する。なお、この電子錠裝置１０ではモーター４の回転軸４′に回転歯車５を連結して回転鉄心棒２の１端部の雄ねじ３１に回転動力を伝えるものについて説明したが、モーターの回転動力を回転鉄心棒に伝えるには歯車と雄ねじの組合わせ以外の他の適宜の回転動力を伝える装置でよい。【００１１】　この考案の他の実施例について説明すると、図６に図示したように、電子錠装置の本体に、鉄心棒２２とコイル（図示せず）とからなる電磁ソレノイドを、設け、この鉄心棒２２の先端部に雄ねじ２３を設ける。この電磁ソレノイドを前記実施例と同様に、半導体集積回路に接続し、この半導体集積回路と２個の信号発生スイッチとを接続して更に乾電池と半導体集積回路，信号発生スイッチなどとを接続した電子錠装置である。【００１２】　この他の実施例の電子錠装置を実際に使用する時は、前記実施例と同様に扉に取付け、予め設定してある複数の信号を信号発生スイッチで押すことにより電磁ソレノイドに電源を入れると、電磁ソレノイドの鉄心棒２２は図６の矢印の方向に前進する。この鉄心棒２２は常にフリー状態であるために鉄心棒２２の先端部に雄ねじ２３が扉枠に設けた鉄心棒用ねじ穴（図示せず）まで前進することによりフリーの鉄心棒２２は前進する力とねじ穴の雌ねじとにより回転しながら前進・挿入して施錠する。【００１３】　この他の実施例の電子錠装置をを解錠する時は、前記実施例と同様に信号発生スイッチで押すことにより電磁ソレノイドの電源を切ると、電磁ソレノイドの鉄心棒２２は図６の矢印の方向とは逆方向に後退する。この鉄心棒２２は常にフリー状態であるために鉄心棒２２の先端部に雄ねじ２３は扉枠に設けた鉄心棒用ねじ穴（図示せず）から後退して扉枠の鉄心棒用ねじ穴から外れた状態に移動し、解錠する。
【考案の効果】
【００１４】　この考案の請求項１記載の電子錠装置は、本体に、両端部が雄ねじの回転鉄心棒を、設け、この回転鉄心棒の１端部の雄ねじに、正逆回転自在のモーターの回転軸と連結した回転歯車を、噛み合わせて設けて、このモーターと半導体集積回路とを接続するとともにこの半導体集積回路と信号発生スイッチとを接続したから、電子錠装置を扉にねじなどで簡単に取付けることができるし、半導体集積回路を有している事により一品一様の信号を採用することができる。また予め設定してある複数の信号を送なければ解錠することができないために高い安全性を有する電子錠装置であるという効果があるし、電子錠の周辺部の扉を破壊しても手では解錠できないという効果がある。更に回転鉄心棒の他端部の雄ねじを扉枠などに予め設けたねじ穴にねじ仮止めして施錠することにより扉を開けるには雄ねじを有する回転鉄心棒を回転しなければならないので、施錠した扉を簡単には開けられにくくしたことにより家などに入による危険性を防ぐことができるし、盗難等を防ぐことができる。
【００１５】　この考案の請求項２記載の電子錠装置は、本体に、鉄心棒とコイルとからなる電磁ソレノイドを、設けるとともにこの鉄心棒の先端部に雄ねじを設け、この電磁ソレノイドと半導体集積回路とを接続するとともにこの半導体集積回路と信号発生スイッチとを接続したから、電子錠装置を扉にねじなどで簡単に取付けることができるし、半導体集積回路を有している事により一品一様の信号を採用することができる。また予め設定してある複数の信号を送なければ解錠することができないために高い安全性を有する電子錠装置であるという効果があるし、電子錠の周辺部の扉を破壊しても手では解錠できないという効果がある。更に施錠した扉を簡単には開けられにくくしたことにより家などに入による危険性を防ぐことができるし、盗難等を防ぐことができる。
【図面の簡単な説明】
【図１】　本考案品の正面図である。
【図２】　同じく正面カバーを取外した正面図である。
【図３】　同じく要部の拡大断面図である。
【図４】　本考案品の使用時の拡大断面図である。
【図５】　同じく使用時の作動後の拡大断面図である。
【図６】　他の本考案品要部の拡大平面図である。
【符号の説明】
　　１　　電子錠装置の本体
　　２　　回転鉄心棒
　　３　　雄ねじ
　　４　　モーター
　　５　　回転歯車
　　６　　半導体集積回路
　　７　　信号発生スイッチ
　　８　　信号発生スイッチ
　　９　　乾電池
　１０　　電子錠装置
【図１】
0003100089.tif 000003
【図２】
0003100089.tif 000004
【図３】
0003100089.tif 000005
【図４】
0003100089.tif 000006
【図５】
0003100089.tif 000007
【図６】
0003100089.tif 000008